(57)【要約】【課題】ユーザが感じうる煩わしさを低減しながら、目のモニタリングを精度高く実現する。【解決手段】ユーザの一方の目を撮像対象とする第１の撮像部材と、上記ユーザの他方の目を撮像対象とする第２の撮像部材と、上記第１の撮像部材による上記一方の目の撮像に係る第１の光路、または上記第２の撮像部材による上記他方の目の撮像に係る第２の光路のいずれかにおいて、赤外光の少なくとも一部を反射する反射部材と、を備え、上記第１の撮像部材および上記第２の撮像部材は、上記撮像装置または上記装着型の装置が上記ユーザの頭部に装着されたときに、上記一方の目側または上記他方の目側に位置するように、まとめて配置され、上記反射部材は、上記第１の撮像部材および上記第２の撮像部材が配置された側の目とは異なる目の側に配置される、撮像装置が提供される。【選択図】図３
2019169797.tif 000002
【特許請求の範囲】
【請求項１】
ユーザの頭部に装着して用いられる撮像装置、または、ユーザの頭部に装着して用いられる装着型の装置に接続して用いられる撮像装置であって、
前記ユーザの一方の目を撮像対象とする第１の撮像部材と、
前記ユーザの他方の目を撮像対象とする第２の撮像部材と、
前記第１の撮像部材による前記一方の目の撮像に係る第１の光路、または前記第２の撮像部材による前記他方の目の撮像に係る第２の光路のいずれかにおいて、赤外光の少なくとも一部を反射する反射部材と、
を備え、
前記第１の撮像部材および前記第２の撮像部材は、前記撮像装置または前記装着型の装置が前記ユーザの頭部に装着されたときに、前記一方の目側または前記他方の目側に位置するように、まとめて配置され、
前記反射部材は、前記第１の撮像部材および前記第２の撮像部材が配置された側の目とは異なる目の側に配置される、
撮像装置。
【請求項２】
前記反射部材の少なくとも一部は、可視光を透過する透明素材から形成される、
請求項１に記載の撮像装置。
【請求項３】
前記反射部材は、前記第１の光路または前記第２の光路のいずれかにおいて、前記ユーザの目が反射する前記赤外光の少なくとも一部を、当該目を撮像対象とする前記第１の撮像部材または前記第２の撮像部材のいずれか一方に向けて反射する、
請求項１または２に記載の撮像装置。
【請求項４】
前記反射部材は、前記第１の光路または前記第２の光路のいずれかにおいて、照射された前記赤外光の少なくとも一部が撮像対象である目に入射するように、前記赤外光の少なくとも一部を反射する、
請求項１〜３のいずれかに記載の撮像装置。
【請求項５】
前記反射部材は、前記反射部材が配置される側の目の撮像に係る前記第１の光路または前記第２の光路において、前記赤外光の少なくとも一部を反射する、
請求項１〜４のいずれかに記載の撮像装置。
【発明の詳細な説明】
【技術分野】
【０００１】
本発明は、撮像装置に関する。
【背景技術】
【０００２】
近年、人の目の動きをモニタリングする技術が開発されている。例えば、特許文献１には、人の右目を撮像するカメラと人の左目を撮像するカメラとを備える装置によって、人の目の動きをモニタリングする技術が開示されている。
【先行技術文献】
【特許文献】
【０００３】
【特許文献１】特開２０１５−１０９９８４号公報
【発明の概要】
【発明が解決しようとする課題】
【０００４】
また、特許文献１に記載の装置のように、ユーザの目を撮像する既存の装置では、検出対象のユーザの両目それぞれに対応する２つの撮像部材が、ユーザの右目に対応する位置とユーザの左目に対応する位置との２箇所に配置される。
【０００５】
しかしながら、既存の装置のように、ユーザの右目に対応する位置とユーザの左目に対応する位置との２箇所に撮像部材が配置される構成の場合には、２箇所に配置された撮像部材がユーザに視認されることがある。また、２箇所に配置された撮像部材がユーザに視認された場合、２箇所に配置された撮像部材をユーザが煩わしく感じてしまう可能性がある。また、上記のような煩わしさを低減するために、例えば、２つの撮像部材を１箇所にまとめて配置する場合、目と撮像部材の位置関係によってはモニタリングの精度が低下する可能性も想定される。
【０００６】
本発明は、上記問題に鑑みてなされたものであり、本発明の目的とするところは、ユーザが感じうる煩わしさを低減しながら、目のモニタリングを精度高く実現すること可能な、新規かつ改良された撮像装置を提供することにある。
【課題を解決するための手段】
【０００７】
上記課題を解決するために、本発明のある観点によれば、ユーザの頭部に装着して用いられる撮像装置、または、ユーザの頭部に装着して用いられる装着型の装置に接続して用いられる撮像装置であって、上記ユーザの一方の目を撮像対象とする第１の撮像部材と、上記ユーザの他方の目を撮像対象とする第２の撮像部材と、上記第１の撮像部材による上記一方の目の撮像に係る第１の光路、または上記第２の撮像部材による上記他方の目の撮像に係る第２の光路のいずれかにおいて、赤外光の少なくとも一部を反射する反射部材と、を備え、上記第１の撮像部材および上記第２の撮像部材は、上記撮像装置または上記装着型の装置が上記ユーザの頭部に装着されたときに、上記一方の目側または上記他方の目側に位置するように、まとめて配置され、上記反射部材は、上記第１の撮像部材および上記第２の撮像部材が配置された側の目とは異なる目の側に配置される、撮像装置が提供される。
【０００８】
また、上記反射部材の少なくとも一部は、可視光を透過する透明素材から形成されてもよい。
【０００９】
また、上記反射部材は、上記第１の光路または上記第２の光路のいずれかにおいて、上記ユーザの目が反射する上記赤外光の少なくとも一部を、当該目を撮像対象とする上記第１の撮像部材または上記第２の撮像部材のいずれか一方に向けて反射してもよい。
【００１０】
また、上記反射部材は、上記第１の光路または上記第２の光路のいずれかにおいて、照射された上記赤外光の少なくとも一部が撮像対象である目に入射するように、上記赤外光の少なくとも一部を反射してもよい。
【００１１】
また、上記反射部材は、上記反射部材が配置される側の目の撮像に係る上記第１の光路または上記第２の光路において、上記赤外光の少なくとも一部を反射してもよい。
【発明の効果】
【００１２】
以上説明したように本発明によれば、ユーザが感じうる煩わしさを低減しながら、目のモニタリングを精度高く実現することが可能となる。
【図面の簡単な説明】
【００１３】
【図１】２つの撮像部材を片方の目の側にまとめて配置する撮像装置について説明するための図である。
【図２】本発明の一実施形態に係る撮像不能範囲について説明するための図である。
【図３】同実施形態に係る第１の撮像部材、第２の撮像部材、および反射部材の配置例を示す概念図である。
【図４】同実施形態に係る撮像装置の外観の一例を示す斜視図である。
【図５】同実施形態に係る撮像装置の外観の一例を示す正面図である。
【発明を実施するための形態】
【００１４】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１５】
＜１．実施形態＞
＜＜１．１．概要＞＞
まず、本発明の一実施形態に係る概要について説明する。上述したように、近年においては、人の目の動きをモニタリングする技術が多く開発されている。例えば、特許文献１では、ユーザの右目および左目をそれぞれ撮像対象とする２つの撮像部材を、右目および左目に対応する２箇所に配置することで、ユーザの目の動きを撮像している。
【００１６】
しかし、特許文献１のように２箇所に撮像部材を配置する場合、２箇所に配置される２つの撮像部材を視認したユーザが、煩わしさを感じてしまう可能性もある。
【００１７】
上記のような煩わしさを低減するためには、例えば、ユーザの右目および左目をそれぞれ撮像する撮像部材を、右目側あるいは左目側の１箇所にまとめて配置する手法が想定される。
【００１８】
図１は、２つの撮像部材を片方の目の側にまとめて配置する撮像装置について説明するための図である。ここで、上記の撮像装置は、例えば、アイウェアや耳かけ型の装置のようなユーザの頭部に装着して用いられる装着型の装置であって、撮像機能を有する装置である。
【００１９】
ここで、図１には、第１の撮像部材１１０ａおよび第２の撮像部材１１０ｂを備える撮像装置１０の配置例が示されている。なお、図１では、第１の撮像部材１１０ａがユーザの右目ＲＥを撮像し、第２の撮像部材１１０ｂがユーザの左目ＬＥを撮像する場合の一例が示されている。なお、図１においては、第１の撮像部材１１０ａおよび第２の撮像部材１１０ｂによる撮像の範囲が、それぞれ撮像範囲ＩＺａおよびＩＺｂとして表現されている。
【００２０】
図１に示すような配置によれば、第１の撮像部材１１０ａおよび第２の撮像部材１１０ｂが配置されない側の目（図１においては、左目ＬＥ）により、第１の撮像部材１１０ａおよび第２の撮像部材１１０ｂが視認される可能性を大きく低減し、ユーザの煩わしさを低減することが可能となる。
【００２１】
しかし、２つの撮像部材を片方の目の側にまとめて配置する場合、配置される側とは異なる側の目を撮像する撮像部材の撮像範囲が、撮像対象とする目の動きのすべてをカバーできない状況も生じ得る。
【００２２】
例えば、図１に示す一例では、第２の撮像部材１１０ｂが、配置される側とは反対の左目ＬＥを撮像しているが、この際、第２の撮像部材１１０ｂの撮像範囲ＩＺｂは図示するように左目ＬＥに対し斜め方向の角度を有することから、撮像不能範囲ＮＩＺが生じることとなる。
【００２３】
ここで、図２を参照して、本実施形態に係る撮像不能範囲について、より詳細に説明する。図２には、目Ｅおよび撮像部材１１０の配置角度と、撮像不能範囲ＮＩＺとの関係が示されている。ここでは、上記の配置角度を、目Ｅの眼球中心と正面方向を直視した際における無限遠方向との角度を０°とした場合における撮像部材１１０の角度と定義する。
【００２４】
例えば、図２の左側に示すように、目Ｅに対し撮像部材１１０を０°の配置角度で配置する場合、目Ｅの可動範囲ＲＯＭのほぼ全域が撮像範囲ＩＺに含まれることから、目Ｅの動きを精度高くモニタリングすることが可能である。
【００２５】
一方、図２の中央に示すように撮像部材１１０の配置角度を３０°とする場合や、図２の右側に示すように、配置角度を４５°とする場合、角度が大きくなるにつれて、目Ｅの可動範囲ＲＯＭが撮像範囲ＩＺから外れ、撮像不能範囲ＮＩＺが拡大することとなる。この場合、目Ｅの動きを撮像できない状況が増加し、モニタリングの精度が低下する要因ともなり得る。
【００２６】
本発明に係る技術思想は、上記の点に着目して発想されたものであり、撮像部材が両目ぞれぞれの視界に入ることによる煩わしさを低減しながらも、両目のモニタリングを精度高く実現することを可能とする。
【００２７】
このために、本発明の一実施形態に係る撮像装置１０は、ユーザの一方の目を撮像対象とする第１の撮像部材１１０ａと、他方の目を撮像対象とする第２の撮像部材１１０ｂと、を備える。ここで、本実施形態に係る第１の撮像部材１１０ａおよび第２の撮像部材１１０ｂは、撮像装置１０、または後述する装着型の装置がユーザの頭部に装着されたときに、上記一方の目側または上記他方の目側に位置するように、まとめて配置されることを特徴の一つとする。
【００２８】
また、本発明の一実施形態に係る撮像装置１０は、第１の撮像部材１１０ａと第２の撮像部材１１０ｂが配置された側の目とは異なる目の側に配置される反射部材１２０を備える。ここで、本実施形態に係る反射部材１２０は、第１の撮像部材１１０ａによる一方の目の撮像に係る第１の光路、または第２の撮像部材１１０ｂによる他方の目の撮像に係る第２の光路のいずれかにおいて、赤外光の少なくとも一部を反射することを特徴の一つとする。
【００２９】
以下、本実施形態に係る撮像装置１０が有する特徴と、当該特徴により奏される効果について詳細に説明する。
【００３０】
＜＜１．２．撮像装置１０の構成＞＞
まず、本実施形態に係る撮像装置１０の構成例について説明する。本実施形態に係る実施形態に係る撮像装置１０は、例えば、アイウェアや耳かけ型の装置のようなユーザの頭部に装着して用いられる装着型の装置であって、撮像機能を有する装置である。また、本実施形態に係る撮像装置１０は、例えば、アイウェアなどのユーザの頭部に装着して用いられる装着型の装置に物理的に接続して用いられ、撮像機能を有する装置であってもよい。以下では、ユーザの頭部に装着して用いられる撮像装置１０を、「装着型の撮像装置１０」と示す場合がある。また、以下では、ユーザの頭部に装着して用いられる装着型の装置を「装着型の装置」と示し、装着型の装置に物理的に接続可能な撮像装置１０を、「接続型の撮像装置１０」と示す場合がある。また、以下では、「装着型の撮像装置１０」と「接続型の撮像装置１０」とを総称して、「本実施形態に係る撮像装置１０」と示す。
【００３１】
つまり、本実施形態に係る撮像装置１０は、装着型の撮像装置１０、または、装着型の装置に物理的に接続可能な、接続型の撮像装置１０である。
【００３２】
（撮像部材１１０）
本実施形態に係る撮像装置１０は、例えば、ユーザの一方の目を撮像対象とする第１の撮像部材１１０ａと、ユーザの他方の目を撮像対象とする第２の撮像部材１１０ｂとを備え、ユーザの両目をそれぞれ撮像する。なお、以下では、第１の撮像部材１１０ａおよび第２の撮像部材１１０ｂを、まとめて撮像部材１１０と表現することがある。本実施形態に係る撮像装置１０は、例えば、バッテリなどの内部電源から供給される電力、または、外部電源から供給される電力などによって、駆動する。
【００３３】
第１の撮像部材１１０ａおよび第２の撮像部材１１０ｂそれぞれは、例えば、鏡筒に設けられる光学系と、複数の撮像素子を有するイメージセンサとを含んで構成される。イメージセンサでは、例えば複数の撮像素子がマトリクス状に配置される。光学系は、１または２以上のレンズを含んで構成される。光学系を構成するレンズとしては、例えば、フォーカスレンズ、ズームレンズ、単焦点レンズなどの様々なレンズが、挙げられる。撮像素子としては、例えば、ＣＭＯＳ（Complementary  Metal  Oxide  Semiconductor）や、ＣＣＤ（Charge  Coupled  Device）などが、挙げられる。なお、第１の撮像部材１１０ａおよび第２の撮像部材１１０ｂそれぞれの構成は、上記に示す例に限定されない。
【００３４】
また、第１の撮像部材１１０ａおよび第２の撮像部材１１０ｂそれぞれは、撮像素子により生成されたアナログ信号を信号処理する信号処理回路を有していてもよい。信号処理回路は、例えば、ＡＧＣ（Automatic  Gain  Control）回路とＡＤＣ（Analog  to  Digital  Converter）とを含み、撮像素子により生成されたアナログ信号をデジタル信号（画像データ）に変換する。
【００３５】
また、第１の撮像部材１１０ａおよび第２の撮像部材１１０ｂそれぞれは、撮像により生成された画像信号（アナログ信号またはデジタル信号）を送信する送信器を有していてもよい。送信器としては、例えば、ＭＩＰＩ（Mobile  Industry  Processor  Interface）アライアンスのＣＳＩ−２（Camera  Serial  Interface  2）規格などの、画像信号を伝送することが可能な任意の規格に則った送信器が、挙げられる。なお、第１の撮像部材１１０ａおよび第２の撮像部材１１０ｂそれぞれが有する送信器は、任意の通信方式の有線通信または任意の通信方式の無線通信で、画像信号を送信する送信器であってもよい。
【００３６】
第１の撮像部材１１０ａおよび第２の撮像部材１１０ｂそれぞれにおける撮像により生成された画像信号は、例えば、第１の撮像部材１１０ａおよび第２の撮像部材１１０ｂそれぞれが有する送信器により、画像信号を処理する処理機能を有する外部装置へ伝送され、当該外部装置において処理される。
【００３７】
また、第１の撮像部材１１０ａおよび第２の撮像部材１１０ｂそれぞれは、ＩＲ  ＬＥＤなどの光源を有していてもよい。なお、ＩＲ  ＬＥＤなどの光源は、例えば、装着型の装置が備える光源など、本実施形態に係る撮像装置１０の外部の光源であってもよいことは、言うまでもない。
【００３８】
第１の撮像部材１１０ａおよび第２の撮像部材１１０ｂそれぞれが光源を有する場合、第１の撮像部材１１０ａおよび第２の撮像部材１１０ｂそれぞれは、例えば、光源の発光と連動して撮像を行う。光源の発光と連動した撮像とは、例えば、“光源が発光しているときに第１の撮像部材１１０ａおよび第２の撮像部材１１０ｂそれぞれが撮像を行い、光源が発光していないときには、第１の撮像部材１１０ａおよび第２の撮像部材１１０ｂそれぞれが撮像を行わないこと”をいう。
【００３９】
光源の発光と第１の撮像部材１１０ａおよび第２の撮像部材１１０ｂそれぞれにおける撮像との連動は、例えば、本実施形態に係る撮像装置１０が備えるプロセッサにより制御されてもよいし、本実施形態に係る撮像装置１０の外部装置により制御されてもよい。撮像装置１０がプロセッサを備える場合、当該プロセッサは、後述する処理回路として機能しうる。
【００４０】
第１の撮像部材１１０ａおよび第２の撮像部材１１０ｂそれぞれが光源の発光と連動して撮像を行うことによって、角膜反射像の観測をより効率的に行うことができ、また、撮像装置１０において消費される消費電力を低減することができる。
【００４１】
本実施形態に係る撮像装置１０は、例えば上記のような第１の撮像部材１１０ａおよび第２の撮像部材１１０ｂを備えることによって、装着型の撮像装置１０または装着型の装置を頭部に装着したユーザの両目を、それぞれ撮像する。
【００４２】
なお、本実施形態に係る撮像装置１０の構成は、上記に示す例に限られない。例えば、本実施形態に係る撮像装置１０は、第１の撮像部材１１０ａおよび第２の撮像部材１１０ｂそれぞれにおける撮像により生成された画像信号を処理する処理回路を、さらに備えていてもよい。
【００４３】
処理回路における処理としては、例えば、画像信号が示す撮像画像に基づき視線を検出する視線検出処理や、画像信号が示す撮像画像に基づき目を計測する処理など、撮像画像に対して行うことが可能な任意の処理が、挙げられる。本実施形態に係る視線検出処理の一例としては、例えば、撮像画像に含まれる角膜反射像の位置に対する瞳孔の位置に基づいて視線を検出する処理（角膜反射法を利用した視線検出処理の一例）が挙げられる。また、目を計測する処理の一例としては、例えば、瞬目を計測する処理が挙げられる。なお、本実施形態に係る画像信号が示す撮像画像に基づく処理が、上記に示す例に限られないことは、言うまでもない。
【００４４】
処理回路は、例えば、第１の撮像部材１１０ａおよび第２の撮像部材１１０ｂそれぞれと、データバスなどの信号線で電気的に接続され、第１の撮像部材１１０ａおよび第２の撮像部材１１０ｂそれぞれから信号線で伝送される画像信号を処理する。処理回路と第１の撮像部材１１０ａおよび第２の撮像部材１１０ｂそれぞれとを信号線で接続する規格としては、例えば、ＭＩＰＩアライアンスのＣＳＩ−２規格などが挙げられる。なお、第１の撮像部材１１０ａおよび第２の撮像部材１１０ｂそれぞれと処理回路とは、任意の通信方式の有線通信、または、任意の通信方式の無線通信で、画像信号を送受信してもよい。
【００４５】
処理回路としては、例えばＣＰＵ（Central  Processing  Unit）などのプロセッサが、挙げられる。
【００４６】
また、本実施形態に係る撮像装置１０では、第１の撮像部材１１０ａおよび第２の撮像部材１１０ｂの一方または双方が、上記処理回路を有していてもよい。上記処理回路を有する第１の撮像部材１１０ａは、上記送信器を有していなくてもよく、また、上記処理回路を有する第２の撮像部材１１０ｂは、上記送信器を有していなくてもよい。
【００４７】
また、本実施形態に係る撮像装置１０は、例えば、第１の撮像部材１１０ａおよび第２の撮像部材１１０ｂそれぞれにおける撮像により生成された画像信号を、無線通信または有線通信で送信する通信デバイスを、さらに備えていてもよい。通信デバイスとしては、例えば、第１の撮像部材１１０ａおよび第２の撮像部材１１０ｂそれぞれが有する送信器よりも、通信可能範囲が大きい通信方式に対応する通信デバイスが挙げられる。一例を挙げると、通信デバイスとしては、例えば、通信アンテナおよびＲＦ（Radio  Frequency）回路（無線通信）や、ＩＥＥＥ８０２．１５．１ポートおよび送受信回路（無線通信）、ＩＥＥＥ８０２．１１ポートおよび送受信回路（無線通信）、ＬＡＮ（Local  Area  Network）端子および送受信回路（有線通信）などが挙げられる。
【００４８】
（反射部材１２０）
続いて、本実施形態に係る反射部材１２０について説明する。本実施形態に係る反射部材１２０は、第１の撮像部材１１０ａによる一方の目の撮像に係る第１の光路、または第２の撮像部材１１０ｂによる他方の目の撮像に係る第２の光路のいずれかにおいて、赤外光の少なくとも一部を反射する。
【００４９】
より詳細には、本実施形態に係る反射部材１２０は、第１の光路または第２の光路のいずれかにおいて、光源から照射された赤外光の少なくとも一部が撮像対象である目に入射するように、当該赤外光の少なくとも一部を反射する。
【００５０】
また、本実施形態に係る反射部材１２０は、第１の光路または第２の光路のいずれかにおいて、光源から照射されユーザの目が反射した赤外光の少なくとも一部を、当該目を撮像対象とする第１の撮像部材１１０ａまたは第２の撮像部材１１０ｂのいずれか一方に向けて反射する。
【００５１】
また、本実施形態に係る反射部材１２０は、反射部材１２０が配置される側の目の撮像に係る第１の光路または第２の光路において、赤外光の少なくとも一部を反射してよい。本実施形態に係る反射部材１２０、第１の撮像部材１１０ａおよび第２の撮像部材１１０ｂの配置関係については、別途詳細に説明する。
【００５２】
また、本実施形態に係る反射部材１２０の少なくとも一部は、可視光を透過する透明素材から形成されてもよい。本実施形態に係る反射部材１２０は、例えば、ガラスや樹脂などから形成されたレンズ上に赤外光を反射するコーティング剤や偏光フィルムが付加された反射レンズであってもよい。このように、可視光を透過する素材を用いて反射部材１２０を形成することにより、反射部材１２０の視野に捉えられた場合であっても、ユーザが感じ得る煩わしさを低減することが可能となる。
【００５３】
＜＜１．３．配置例＞＞
次に、本実施形態に係る撮像装置１０が備える第１の撮像部材１１０ａ、第２の撮像部材１１０ｂ、および反射部材の配置例について述べる。図３は、本実施形態に係る第１の撮像部材１１０ａ、第２の撮像部材１１０ｂ、および反射部材１２０の配置例を示す概念図である。
【００５４】
図３に示すように、本実施形態に係る第１の撮像部材１１０ａおよび第２の撮像部材１１０ｂは、左右いずれかの目の側にまとめて配置される。図３には、本実施形態に係る第１の撮像部材１１０ａおよび第２の撮像部材１１０ｂが、ユーザの右目ＲＥ側にまとめて配置される場合の一例が示されている。上記のような配置によれば、第１の撮像部材１１０ａおよび第２の撮像部材１１０ｂがユーザの左目ＬＥの視野に捉えられる可能性を低減し、ユーザの煩わしさを効果的に低減することが可能となる。
【００５５】
また、本実施形態に係る反射部材１２０は、第１の撮像部材１１０ａおよび第２の撮像部材１１０ｂが配置された側の目とは異なる目の側に配置されることを特徴の一つとする。図３には、本実施形態に係る反射部材１２０が、第１の撮像部材１１０ａおよび第２の撮像部材１１０ｂが配置される右目ＲＥ側とは反対の左目ＬＥ側に配置される場合の一例が示されている。
【００５６】
また、この際、本実施形態に係る反射部材１２０は、反射部材１２０が配置される側の目、すなわち左目ＬＥの撮像を行う第２の撮像部材１１０ｂに係る第２の光路において、赤外光の少なくとも一部を反射してよい。
【００５７】
具体的には、反射部材１２０は、第２の光路において、光源が照射した赤外光の少なくとも一部が、ユーザの左目ＬＥに入射するように、当該赤外光の少なくとも一部を反射する。
【００５８】
また、反射部材１２０は、第２の光路において、ユーザの左目ＬＥが反射した赤外光の少なくとも一部を、左目ＬＥを撮像対象とする第２の撮像部材１１０ｂに向けて反射する。
【００５９】
本実施形態に係る反射部材１２０が有する上記の特徴によれば、図３に示すように、第２の撮像部材１１０ｂの撮像範囲ＩＺｂを、より浅い角度を以ってユーザの左目ＬＥに対応させることができる。これによれば、撮像不能範囲ＮＩＺを効果的に縮小し、大きな回転を伴う左目ＬＥの動きも漏らすことなく撮像することができ、精度の高いモニタリングを実現することが可能となる。
【００６０】
以上、本実施形態に係る第１の撮像部材１１０ａ、第２の撮像部材１１０ｂ、および反射部材１２０の配置例について説明した。なお、図３では、第１の撮像部材１１０ａおよび第２の撮像部材１１０ｂが右目ＲＥ側に配置され、第１の撮像部材１１０ａが右目ＲＥを、第２の撮像部材１１０ｂが左目ＬＥをそれぞれ撮像する場合を一例として示したが、本実施形態に係る配置や撮像対象は、当該組み合わせに限定されない。本実施形態に係る第１の撮像部材１１０ａおよび第２の撮像部材１１０ｂは左目ＬＥ側に配置されてもよいし、第１の撮像部材１１０ａが左目ＬＥを、第２の撮像部材１１０ｂが右目ＲＥをそれぞれ撮像してもよい。
【００６１】
また、本実施形態に係る撮像部材１１０および反射部材１２０の両方、またはいずれかは、光路を確保するための角度などを調節可能に設けられてよい。例えば、図３に示す一例の場合、第２の撮像部材１１０ｂおよび反射部材の両方は、第２の光路において、赤外光の反射により左目ＬＥの撮像が可能となるように、角度の調整が可能なように設けられてもよい。また、例えば、反射部材１２０は所定の角度で固定され、第２の撮像部材１１０ｂのみが角度が調整可能に設けられてもよい。
【００６２】
上記のような調整機構によれば、ユーザの目の配置特徴などに応じて、撮像範囲を適宜調整することができ、多くのユーザに広く対応することが可能となる。
【００６３】
次に、図４および図５を参照して、本実施形態に係る撮像装置１０の外観について一例を述べる。図４は、本実施形態に係る撮像装置１０の外観の一例を示す斜視図であり、図５は、本実施形態に係る撮像装置１０の外観の一例を示す正面図である。
【００６４】
なお、図４および図５では、撮像装置１０が、装着型の装置である眼鏡Ｇに物理的に接続して用いられる場合の一例が示されている。この際、本実施形態に係る撮像装置１０は、例えば、図４や図５に示すような支持部材１３０Ｒおよび１３０Ｌを介して、眼鏡Ｇに物理的かつ着脱可能に接続されてもよい。
【００６５】
なお、図４および図５に示す一例では、支持部材１３０Ｒの先端に第１の撮像部材１１０ａおよび第２の撮像部材１１０ｂが配置され、支持部材１３０Ｌの先端に反射部材１２０が配置される場合が示されている。
【００６６】
本実施形態に係る第１の撮像部材１１０ａおよび第２の撮像部材１１０ｂは、図示するように、一体に設けられてもよいし、それぞれが独立して支持部材１３０Ｒの先端から延長するよう設けられてもよい。
【００６７】
また、図４および図５では、本実施形態に係る反射部材１２０が矩形状の外観を有する一例が示されているが、本実施形態に係る反射部材１２０の形状や大きさは係る例に限定されない。本実施形態に係る反射部材１２０は、円形であってもよいし、図示される一例よりも大きくあるいは小さく形成されてもよい。
【００６８】
＜２．まとめ＞
以上説明したように、本発明の一実施形態に係る撮像装置１０は、ユーザの右目または左目を撮像対象とする第１の撮像部材１１０ａおよび第２の撮像部材１１０ｂを備える。また、第１の撮像部材１１０ａおよび第２の撮像部材１１０ｂは、ユーザの右目側または左目側のいずれかにまとめて配置されることを特徴とする。
【００６９】
また、本発明の一実施形態に係る撮像装置１０は、第１の撮像部材１１０ａと第２の撮像部材１１０ｂが配置された側の目とは異なる目の側に配置される反射部材１２０を備える。反射部材１２０は、第１の撮像部材１１０ａによる一方の目の撮像に係る第１の光路、または第２の撮像部材１１０ｂによる他方の目の撮像に係る第２の光路のいずれかにおいて、赤外光の少なくとも一部を反射することを特徴の一つとする。
【００７０】
上記構成によれば、ユーザが感じうる煩わしさを低減しながら、目のモニタリングを精度高く実現することが可能となる。
【００７１】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００７２】
１０        撮像装置
１１０ａ    第１の撮像部材
１１０ｂ    第２の撮像部材
１２０      反射部材
【図１】
2019169797.tif 000003
【図２】
2019169797.tif 000004
【図３】
2019169797.tif 000005
【図４】
2019169797.tif 000006
【図５】
2019169797.tif 000007